(57)【特許請求の範囲】
【請求項１】
音楽及び／又は映像を販売する為にプロモーション放送を行う放送センタと、前記放送センタからのプロモーション放送を視聴しているユーザへ音楽データや映像データを提供する販売機とを備え、
前記放送センタは、プロモーション放送する音楽や映像ごとに名前又はナンバを付けるための識別分類手段と、音楽や映像を放送網を介し放送する放送手段と、プロモーション放送する音楽／映像を販売する為に、音楽／映像をデータ化するデータ化手段と、データをデータ蓄積手段へ記録する記録手段と、データを記録し蓄積するデータ蓄積手段と、販売する音楽や映像および顧客を管理する顧客管理手段と、公衆回線を介し前記販売機と通信する通信手段とを有し、
前記販売機は、前記放送センタからのプロモーション放送を放送網を介し受信する受信手段と、受信したプロモーション放送を再生する再生手段と、プロモーション放送する音楽や映像ごとに名前又はナンバを付けた識別分類手段の内容を認識し、ユーザーが購入する音楽や映像を確定する認識確定手段と、公衆回線を介し前記放送センタと通信する通信手段と、プロモーション放送している音楽／映像をユーザが購入する際に操作する操作手段と、音楽／映像データをユーザが購入する際にデータを記録媒体に記録したり、購入したデータを再生したりするための記録再生手段と、データを記録する記録媒体ｂとを有し、
前記放送センタは、音楽／映像の一部分だけをプロモーション放送すると共に、プロモーション放送を視聴するユーザが視聴している音楽や映像を購入する際に、購入する音楽や映像を認識し確定するために、あらかじめ放送する段階で、前記識別分類手段によりプロモーション放送する音楽／映像に名前又はナンバを付け識別分類を行い多重化し放送網を介し前記放送手段により放送し、かつプロモーション放送する音楽／映像を販売する為に、音楽／映像を前記データ化手段により、販売する商品一単位としての全体をデータ化し、
この販売する為にデータ化された音楽や映像のデータは、プロモーション放送する音楽／映像に付けられた名前またはナンバと一対となるよう同一名を持ち、前記放送センタの記録手段によって、放送センタが備えるデータ蓄積手段に記録され、
ユーザが前記放送センタからプロモーション放送されている識別分類が行われて多重化された音楽／映像を前記販売機の前記受信手段並びに前記再生手段により視聴していて、
その視聴している音楽／映像を気に入り購入する場合、前記販売機は前記操作手段による操作に基づき、前記認識確定手段により購入したい音楽／映像を確定し、前記放送センタと通信するための前記販売機の通信手段を通じ公衆回線を介して前記放送センタと通信し、前記放送センタの前記顧客管理手段により顧客の管理を行い、前記データ蓄積手段から、前記認識確定手段で確定した音楽／映像のデータを受信し、その受信したデータを前記記録再生手段によって、前記販売機の記録媒体ｂに記録することを特徴とする音楽／映像の販売機システム。
【請求項２】
請求項１に記載のプロモーション放送を活用した音楽／映像の販売機システムの各手段の機能をコンピュータで実現するためのプログラムを格納したことを特徴とする媒体。
【請求項３】
音楽及び／又は映像を販売する為にプロモーション放送を行う放送センタであって、
プロモーション放送する音楽や映像ごとに名前又はナンバを付けるための識別分類手段と、音楽や映像を放送網を介し放送する放送手段と、プロモーション放送する音楽／映像を販売する為に、音楽／映像をデータ化するデータ化手段と、データをデータ蓄積手段へ記録する記録手段と、データを記録し蓄積するデータ蓄積手段と、販売する音楽や映像および顧客を管理する顧客管理手段と、公衆回線を介し販売機と通信する通信手段とを有し、
音楽／映像の販売一単位の一部分だけをプロモーション放送すると共に、当該プロモーション放送を放送する段階で、前記識別分類手段によりプロモーション放送する音楽／映像に名前又はナンバを付け識別分類を行い多重化した上で放送網を介し前記放送手段により放送し、かつプロモーション放送する音楽／映像を販売する為に、音楽／映像を前記データ化手段により、販売する商品一単位としての全体をデータ化し、
この販売する為にデータ化された音楽や映像のデータは、プロモーション放送する音楽／映像に付けられた名前またはナンバと一対となるよう同一名を持ち、前記放送センタの記録手段によって、放送センタが備えるデータ蓄積手段に記録され、
前記通信手段が公衆回線を介して販売機からの購入の指示を受けることにより、顧客管理部で顧客の管理を行った後、購入要求のあった音楽／映像のデータをデータ蓄積部から取り出して、これを通信手段を介して販売機に配信することを特徴とする放送センタ。
【発明の詳細な説明】
【０００１】
【発明の属する技術分野】
本発明は、プロモーション放送を活用した音楽／映像の販売機システムに関する。
【０００２】
【従来の技術】
従来は、放送媒体を利用しプロモーションする音楽や映像をレコード店などで販売する手段はあった。また、通信販売のように、郵送手段を使用し商品を販売する手段はあった。
デジタル放送の始まり並びにデジタル視聴機器や情報通信機器の発達により、高音質高画質放送から、販売している音楽や映像のソフトと同じ様な良質な複製を簡単に作ることができるようになり、著作権の保護が望まれている。
【０００３】
【発明が解決しようとする課題】
ラジオ放送やテレビ放送を利用し販売したい音楽や映像をプロモーションする場合に、そのプロモーション放送を視聴しているユーザが、瞬時に音楽や映像を購入する手段はなかった。その為、プロモーション効率が悪かった。また、今プロモーション放送されている音楽や映像の一つ前の音楽や映像が気に入り購入したい場合に、その時にその場で購入する手段はなかった。その為うっかり買い忘れてしまうことがあった。一方、デジタル放送の開始並びにデジタル視聴機器や情報通信機器の発達により、高音質高画質放送から簡単に良質な複製を作ることができるようになり、音楽や映像の放送の仕方を工夫しなければ、日常的に音楽や映像などの著作権を侵害される恐れが出てきた。
【０００４】
本発明は上記従来の課題を解決するもので、プロモーション放送を視聴しているユーザが、視聴している音楽や映像を気に入り購入したいと思った時、購入したい音楽や映像を、その場で瞬時に購入することができるのでプロモーション効率が格段に改善される。また、今視聴している音楽や映像の一つ前の音楽や映像および二つ前の音楽や映像およびｎ個前の音楽や映像を瞬時に購入することができるので買い忘れを防止することができる。高音質高画質の放送においても著作権を保護するために、音楽や映像の一部分だけを放送することで、視聴者の無断複製を防止し、且つ簡便に購入してもらうことを目的とする。
【０００５】
【課題を解決するための手段】
上記問題点を解決するために本発明の販売機は、音楽及び／又は映像を販売する為にプロモーション放送を行う放送センタと、前記放送センタからのプロモーション放送を視聴しているユーザへ音楽データや映像データを提供する販売機とを備え、前記放送センタは、プロモーション放送する音楽や映像ごとに名前又はナンバを付けるための識別分類手段と、音楽や映像を放送網を介し放送する放送手段と、プロモーション放送する音楽／映像を販売する為に、音楽／映像をデータ化するデータ化手段と、データをデータ蓄積手段へ記録する記録手段と、データを記録し蓄積するデータ蓄積手段と、販売する音楽や映像および顧客を管理する顧客管理手段と、公衆回線を介し前記販売機と通信する通信手段とを有し、前記販売機は、前記放送センタからのプロモーション放送を放送網を介し受信する受信手段と、受信したプロモーション放送を再生する再生手段と、プロモーション放送する音楽や映像ごとに名前又はナンバを付けた識別分類手段の内容を認識し、ユーザーが購入する音楽や映像を確定する認識確定手段と、公衆回線を介し前記放送センタと通信する通信手段と、プロモーション放送している音楽／映像をユーザが購入する際に操作する操作手段と、音楽／映像データをユーザが購入する際にデータを記録媒体に記録したり、購入したデータを再生したりするための記録再生手段と、データを記録する記録媒体ｂとを有し、前記放送センタは、音楽や映像の著作権を保護しながらプロモーション放送する為に、著作権者の了解を得て、音楽／映像の一部分だけをプロモーション放送し、視聴者による無断複製の意欲を削ぎ、無断複製を防ぐ。前記放送センタは、プロモーション放送を視聴するユーザが視聴している音楽や映像を購入する際に、購入する音楽や映像を認識し確定するために、あらかじめ放送する段階で、前記識別分類手段によりプロモーション放送する音楽／映像に名前又はナンバを付け識別分類手段を行い多重化し放送網を介し前記放送手段により放送する。また、プロモーション放送する音楽／映像を販売する為に、音楽／映像を前記データ化手段によりデータ化手段を行う。この販売する為にデータ化された音楽や映像のデータは、プロモーション放送する音楽／映像に付けられた名前またはナンバと一対となるよう同一名を持ち、前記放送センタの記録手段によってデータ蓄積手段に記録しデータ蓄積手段する。ユーザが前記放送センタからプロモーション放送されている音楽／映像を前記販売機の前記受信手段並びに前記再生手段により視聴していて、その視聴している音楽／映像を気に入り購入する場合、前記販売機は前記操作手段により操作手段を行い、前記認識確定手段により購入したい音楽／映像を認識確定手段し、前記放送センタと通信するための前記販売機の通信手段を通じ公衆回線を介して前記放送センタと通信し、前記放送センタの前記顧客管理手段により顧客管理手段を行い、前記データ蓄積手段からデータを受信し、その受信したデータを前記記録再生手段によって、前記販売機の記録媒体ｂに記録することにより、音楽や映像の販売プロモーションの効率を格段に向上させることができる。また、高音質高画質を提供するデジタル放送においても、無断複製を防止しながら音楽や映像を紹介し且つ瞬時に販売することができる。
【０００６】
この、プロモーション放送を活用した音楽／映像の販売機システムは、音楽／映像を販売する為にプロモーション放送を行う放送センタと、前記放送センタからのプロモーション放送を視聴しているユーザへ音楽／映像データを提供する販売機とから構成され、前記放送センタは、音楽や映像の著作権を保護しながらプロモーション放送する為に、著作権者の了解を得て、音楽／映像の一部分だけをプロモーション放送し、視聴者による無断複製の意欲を削ぎ、無断複製を防ぐ。前記放送センタは、プロモーション放送を視聴するユーザが視聴している音楽や映像を購入する際に、購入する音楽や映像を認識し確定するために、あらかじめ放送する段階で、前記識別分類手段によりプロモーション放送する音楽／映像に名前又はナンバを付け識別分類手段を行い多重化し放送網を介し前記放送手段により放送する。また、プロモーション放送する音楽／映像を販売する為に、音楽／映像を前記データ化手段によりデータ化手段を行う。この販売する為にデータ化された音楽や映像のデータは、プロモーション放送する音楽／映像に付けられた名前またはナンバと一対となるよう同一名を持ち、前記放送センタの記録手段によってデータ蓄積手段に記録しデータ蓄積手段する。ユーザが前記放送センタからプロモーション放送されている音楽／映像を前記販売機の前記受信手段並びに前記再生手段により視聴していて、その視聴している音楽／映像を気に入り購入する場合、前記販売機は前記操作手段により操作手段を行い、前記認識確定手段により購入したい音楽／映像を認識確定手段し、前記放送センタと通信するための前記販売機の通信手段を通じ公衆回線を介して前記放送センタと通信し、前記放送センタの前記顧客管理手段により顧客管理手段を行い、前記データ蓄積手段からデータを受信し、その受信したデータを前記記録再生手段によって、前記販売機の記録媒体ｂに記録する。このように本発明の販売機システムは、放送センタからプロモーション放送する音楽や映像をデータ化手段によりデータ化手段を行い、データ化した音楽や映像のデータをデータ蓄積手段で蓄積手段を行う。一方、放送センタからプロモーション放送する音楽や映像は、視聴者の無断複製意欲を削ぎ著作権を保護する為に、音楽や映像の販売一単位の一部分だけを放送する。プロモーション放送を視聴しているユーザが、視聴している音楽や映像を気に入り購入する場合、本発明の販売機は、公衆回線を介した通信を通じ、音楽データや映像データを放送センタのデータ蓄積手段から受信し、ユーザに提供するものである。
【０００７】
【発明の実施の形態】
以下に本発明の実施の形態を図面を参照しながら説明する。
（実施の形態）図１は本発明の請求項１の、音楽／映像の販売機システムと、放送センタおよび販売機のブロック図である。
【０００８】
図１において、放送センタ１０は、音楽や映像のプロモーション放送を放送網２０を介し放送し、販売機４０でプロモーション放送を視聴しているユーザへ、購入希望のデータを公衆回線３０を介して販売機４０へ配信する。放送センタ１０は、次のように構成されている。１１は、公衆回線３０を介して販売機４０と音楽や映像データおよび顧客管理データの送受信を行う通信部ａ、１２は、放送する音楽や映像ごとに名前又はナンバを付けるための識別分類部、１３は、音楽／映像を放送網２０を介し放送する放送部、１４は、放送する音楽／映像をデータ化するデータ化部、１５は、データをデータ蓄積部へ記録する記録部ａ、１６は、データを記録し蓄積するデータ蓄積部、１７は、販売する音楽や映像及び顧客の管理をする顧客管理部、１８は、前記各部を制御する制御部ａである。
【０００９】
放送部１３から放送される放送は、ラジオ放送でも良いし、テレビ放送でも良いし、インターネットを利用した放送でも良い。アナログ放送の地上波放送でも良いし、衛星放送でも良い。デジタル放送の地上波放送でも良いし、衛星放送でも良い。また、ケーブル放送でも良い。テレビ放送に関しては、販売したい映像一単位の一部分のみを予告編の様にプロモーション放送し、通信を通じ本編をデータとして販売するものである。
【００１０】
データ化部１４は、データ化されていない音楽や映像を、例えば、周波数数値化によりデータ化する手段である。またデータを配信するにあたり、データの圧縮が必要ならば、たとえば動画像ならＭＰＥＧ２方式（Ｍｏｔｉｏｎ  Ｐｉｃｔｕｒｅ  Ｅｘｐｅｒｔｓ  Ｇｒｏｕｐ２）で、音楽ならＭＰ３方式（ＭＰＥＧ−１Ａｕｄｉｏ  Ｌａｙｅｒ３）で圧縮する。放送される音楽や映像がすでにデータ化されデータ圧縮されており、その方式がデータの配信に適当であるならば、データ化部１４は、除かれる場合もある。データ化部１４でデータ化される音楽／映像は、販売する商品一単位としての全体をデータ化するものである。
【００１１】
販売管理上必要とあらば、データ化部１４と、データを記録する記録部ａ１５と、データを蓄積するデータ蓄積部１６と、顧客管理部１７は、放送センタ１０と切り離し管理センタとして独立させることもできる。この場合管理センタと放送センタと販売機はともに、公衆回線を介し通信することができるようにする。
【００１２】
顧客管理部１７は、購入者の管理と販売する音楽や映像の管理をする。
【００１３】
販売機４０は、次のように構成されている。４１は、公衆回線３０を介して放送センタと、音楽や映像データ及び顧客管理データの送受信を行う通信部ｂ、４２は、放送センタからの放送を受信する受信部、４３は、受信した放送を再生する再生部、４４は、放送する音楽や映像ごとに名前又はナンバを付けた識別分類手段の内容を認識し、ユーザーが購入する音楽や映像を確定する認識確定部、４５は、ユーザが音楽や映像データを購入する際に操作する操作部、４６は、購入したデータを記録媒体へ記録したり再生したりする記録再生部、４７は、データを記録する記録媒体ｂ、４８は、受信部４２と認識確定部４４と操作部４５と記録再生部４６と通信部ｂ４１の各部を制御する制御部ｂである。
【００１４】
販売機４０の通信部ｂ４１は、有線による通信手段でも良いし、例えば、携帯電話を利用した、無線による通信手段でも良い。
【００１５】
記録媒体ｂ４７は、取り外し可能とすることで、他の通信可能な視聴機器や情報信機器でも視聴することができる。また、記録媒体ｂ４７は、例えば暗号技術を利用し、記録媒体ｂ４７に記録したデータを購入した本人以外の記録媒体に違法に複製すことができないようにする。
【００１６】
購入指示のあった音源や映像のデータの配信は、データ蓄積部１６から公衆回線３０を介し通信部１１によりデータを配信するという手段だけではなく、ケーブルテレビ網（図示せず）または人工衛星６０を介した衛星放送を通じデータを配信する手段でも良い。（図２）
【００１７】
以上のように構成された本実施の形態の販売機のシステムについて、その動作について説明する。
【００１８】
放送センタ１０は、放送を視聴するユーザが視聴している音楽や映像を購入する際に、購入する音楽や映像を確定できるよう、あらかじめ、放送する音楽／映像に名前又はナンバを付けるため、識別分類部１２により識別分類手段を行い多重化し放送網２０を介し放送する。また、放送する音楽／映像をデータ化して販売するために、放送する音楽／映像をデータ化部１４によりデータ化手段を行う。この販売する為にデータ化された音楽や映像のデータは、プロモーション放送する音楽／映像に付けられた名前またはナンバと一対となるよう同一名を持ち、記録部ａ１５によってデータ蓄積部１６に記録しデータ蓄積手段を行う。放送センタ１０から放送網２０を介し放送される音楽や映像のプロモーション放送を販売機４０の受信部４２で受信し、再生部４３により再生し視聴しているユーザが、その視聴している音楽や映像を気に入り購入する場合、操作部４５を操作し、制御部ｂ４８より認識確定部４４へ購入したい音楽や映像を確定するよう指示をだし、購入したい音楽や映像を確定する。操作部４５から購入の指示を受けた制御部ｂ４８は、放送センタと通信するための通信部ｂ４１に対し音楽や映像の購入の要求を出す。公衆回線３０を介して、放送センタ１０の通信部ａ１１を通じ購入の指示を受けた制御部ａ１８は、顧客管理部１７に顧客管理手段を行うよう指示を出し顧客管理手段を行った後、データ蓄積部１６へ、購入要求のあったデータを取り出し、制御部ａ１８へ送り返すよう指示を出す。制御部ａ１８へ送り返されたデータは、公衆回線３０を介して販売機４０に配信される。
【００１９】
配信された音楽データや映像データは、通信を行う通信部ｂ４１を通じ、制御部ｂ４８により記録再生部４６にデータを配信し、記録媒体ｂ４７に記録する。
【００２０】
このように本実施の形態の販売機は、プロモーション放送を視聴しているユーザが、今視聴している音楽や映像を気に入り購入を希望する場合、データ化した音楽や映像を通信により放送センタから販売機へ配信することができるので、プロモーション放送を視聴中に、その時にその場で購入することができる。従って音楽や映像のプロモーション活動の効果を格段と向上させることができる。また、ユーザ側にとっても、プロモーション放送を視聴しながら気に入った音楽や映像を購入できるという利便性を得ることができる。本実施の形態の販売機は、音楽映像の無断複製を防止する為に工夫されたプロモーション放送を受信することで、著作権を守りながら簡便にそして迅速に、音楽や映像をユーザに販売することができる。これにより、デジタル放送やデジタル視聴機器や情報通信機器の発達に伴ない危惧されている、高音質高画質放送からの無断複製による著作権侵害を防ぐことともなる。
【００２１】
本実施の形態の販売機システムでは、音楽や映像だけではなく、英会話などの教育プログラムや小説やゲームなど、通信を通じデータを送信することで販売できる商品であればどのようなものも販売することができる。
【００２２】
また、本発明は、以上述べた音楽／映像の販売機システムの各手段の機能の全部または一部をコンピュータで実現するためのプログラムを格納したことを特徴とする媒体である。
【００２３】
【発明の効果】
以上のように本発明は、（１）プロモーション放送を視聴するユーザが、今視聴している音楽や映像を気に入り購入したいと思った時に、その場で瞬時に音楽や映像を本販売機で購入することができる。その為、音楽や映像を販売する為のプロモーション活動の効率が格段に向上する。同時に音楽や映像の購入者にとっても、プロモーション放送を聞きながら音楽などを購入できると言う利便性を得られる。また、今視聴している音楽や映像の一つ前の音楽や映像および二つ前の音楽や映像およびｎ個前の音楽や映像を購入することができるので、購入忘れを防ぐことができる。（２）販売したい音楽や映像の一部分だけをプロモーション放送することで、デジタル放送やデジタル視聴機器などの普及時に危惧される高音質高画質放送からの無断複製を防ぎ、著作権保護を行い、デジタル放送を視聴するユーザが、視聴してる音楽や映像を気に入り購入したい場合には、あたかも複製するがごとく簡便さで、音楽や映像を著作権を守り購入することができる。
【図面の簡単な説明】
【図１】本発明の実施の形態における販売機のシステムを示すブロック図
【図２】本発明の実施の形態において、別のデータ配信方法を示すプロック図
【符号の説明】
１０：放送センタ  １１：通信部ａ  １２：識別分類部  １３：放送部  １４：データ化部  １５：記録部ａ  １６：データ蓄積部  １７：顧客管理部  １８：制御部ａ  ２０：放送網  ３０：公衆回線  ４０：販売機  ４１：通信部ｂ  ４２：受信部  ４３：再生部  ４４：認識確定部  ４５：操作部  ４６：記録再生部  ４７：記録媒体ｂ  ４８：制御部ｂ  ６０：人工衛星
【図１】
0005007001.tif 000002
【図２】
0005007001.tif 000003